(57)【要約】表示スクリーンの全体の領域を占めないビデオ画像の表示により発生する表示スクリーン上のスクリーンの焼き付きを最小化するシステムと方法を開示する。システムは、１）表示スクリーンの一部上にビデオ信号の活性化された画像を表示するために、受信されたビデオ信号をフォーマットし、且つ、２）前記フォーマットされた活性化された画像により占められていない表示スクリーンの一部上にスクリーンセーバーを表示することができるビデオ画像処理回路を有する。スクリーンセーバライブラリは、複数のスクリーンセーバライブラリから１つのスクリーンセーバライブラリを供給する。複数のスクリーンセーバの中の各スクリーンセーバは、活性化された画像により占められていない表示スクリーンの部分を占める。本発明のこの方法は、ビデオ信号の活性化された画像の画像フォーマットを決定するステップと、活性化された画像の画像フォーマットと、表示スクリーンの画像フォーマットを比較するステップと、画像フォーマットの比較に応じて活性化された画像をフォーマットするステップと、スクリーンセーバライブラリから活性化されたビデオ画像により占められていない表示スクリーンの領域を占めるスクリーンセーバを選択するステップと、活性化された画像とスクリーンセーバを、表示スクリーンに表示するステップと、を有する。【特許請求の範囲】
【請求項１】
表示スクリーンを有するビデオ表示装置内で使用されるために、前記表示スクリーンが、表示スクリーンの全領域を占めないビデオ画像を表示するときにスクリーンの焼き付きを最小化するためのシステムであって、
１）前記表示スクリーンの一部上に前記ビデオ信号の活性化された画像を表示するために、受信されたビデオ信号をフォーマットし、且つ、２）前記フォーマットされた活性化された画像により占められていない前記表示スクリーンの一部上にスクリーンセーバーを表示する、ことができるビデオ画像処理回路を有し、　前記ビデオ画像処理回路は、複数のスクリーンセーバから１つのスクリーンセーバを供給できるスクリーンセーバライブラリーを有し、前記複数のスクリーンセーバ内の各スクリーンセーバーは、活性化された画像により占めれていない前記表示スクリーンの一部を占める、システム。
【請求項２】
前記ビデオ画像処理回路は、
ビデオ信号と前記ビデオ信号の活性化された画像のアスペクト比を受信できる検出回路を有し、
前記検出回路に接続されたビデオフォーマッターを有し、前記ビデオフォーマッターは、前記活性化されたビデオ信号のアスペクト比と、前記表示スクリーンのアスペクト比を比較でき、且つ、前記比較に応じて、前記表示スクリーン上に表示するために前記活性化された画像を配置するために前記活性化された画像をフォーマットでき、
前記ビデオフォーマッターに接続された表示バッファを有し、前記表示バッファは、前記表示スクリーンに、１）前記フォーマットされた活性化された画像及び、２）前記フォーマットされた活性化された画像により占められていない前記表示スクリーンの一部を占めるスクリーンセーバとを転送できる、請求項１に記載のシステム。
【請求項３】
前記検出回路は、前記ビデオ信号の活性化された画像のアスペクト比を決定できる、請求項２に記載のシステム。
【請求項４】
前記スクリーンセーバライブラリは、１）入力ビデオ信号を伴う放送データを受信しかつ、２）前記放送データを前記スクリーンセーバライブラリ内の前記複数のスクリーンセーバに組み込むことができる、請求項１に記載のシステム。
【請求項５】
前記スクリーンセーバライブラリは、１）ローカル補助データを受信しかつ、２）前記ローカル補助データを前記スクリーンセーバライブラリ内の前記複数のスクリーンセーバに組み込むことができる、請求項１に記載のシステム。
【請求項６】
前記ビデオ画像処理回路は、
ビデオ信号と、前記ビデオ信号の活性化された画像の画像フォーマット情報を受信できる検出回路を有し、
前記検出回路に接続されたビデオフォーマッターを有し、前記ビデオフォーマッターは、前記活性化された画像の画像フォーマットと、前記表示スクリーンの画像フォーマットを比較でき、且つ、前記比較に応じて、前記表示スクリーン上に表示するために前記活性化された画像を配置するために、前記活性化された画像をフォーマットでき、
前記ビデオフォーマッターに接続された表示バッファを有し、前記表示バッファは、前記表示スクリーンに、１）前記フォーマットされた活性化された画像及び、２）前記フォーマットされた活性化された画像により占められていない前記表示スクリーンの一部を占めるスクリーンセーバとを転送できる、請求項１に記載のシステム。
【請求項７】
前記検出回路は、前記ビデオ信号の活性化された画像の画像フォーマットを決定できる、請求項６に記載のシステム。
【請求項８】
前記スクリーンセーバライブラリは、１）入力ビデオ信号を伴う放送データを受信しかつ、２）前記放送データを前記スクリーンセーバライブラリ内の前記複数のスクリーンセーバに組み込むことができる、請求項６に記載のシステム。
【請求項９】
前記スクリーンセーバライブラリは、１）ローカル補助データを受信しかつ、２）前記ローカル補助データを前記スクリーンセーバライブラリ内の前記複数のスクリーンセーバに組み込むことができる、請求項６に記載のシステム。
【請求項１０】
表示スクリーンを有するビデオ表示装置内で使用されるために、前記表示スクリーンが、前記表示スクリーンの全領域を占めないビデオ画像を表示するときにスクリーンの焼き付きを最小化するための方法であって、
前記表示スクリーン内に前記ビデオ画像を表示するステップと、
複数のスクリーンセーバの中の各スクリーンセーバは前記ビデオ画像により占められていない前記表示スクリーンの一部を占める、前記複数のスクリーンセーバを有するスクリーンセーバライブラリーから１つのスクリーンセーバを選択するステップと、
前記選択されたスクリーンセーバを前記ビデオ画像により占められていない前記表示スクリーンの一部内に表示するステップとを有する方法。
【請求項１１】
更に、
前記スクリーンセーバライブラリ内に放送データを受信するステップと、
前記放送データを、前記スクリーンセーバライブラリ内の前記複数のスクリーンセーバの中の少なくとも１つのスクリーンセーバに組み込むステップと
前記放送データを伴なう前記スクリーンセーバを、前記ビデオ画像により占められていない前記表示スクリーンの一部内に表示するステップとを有する、請求項１０に記載の方法。
【請求項１２】
更に、
前記スクリーンセーバライブラリ内にローカル補助データを受信するステップと、
前記ローカル補助データを、前記スクリーンセーバライブラリ内の前記複数のスクリーンセーバの中の少なくとも１つのスクリーンセーバに組み込むステップと、
前記ローカル補助データを伴なう前記スクリーンセーバを、前記ビデオ画像により占められていない前記表示スクリーンの一部内に表示するステップとを有する、を有する、請求項１０に記載の方法。
【請求項１３】
表示スクリーンを有するビデオ表示装置内で使用されるために、前記表示スクリーンが、前記表示スクリーンのアスペクト比と異なるアスペクト比を有するビデオ信号の活性化された画像を表示するときに、前記スクリーン内のスクリーンの焼き付きを最小化するスクリーンセーバを表示するための方法であって、
前記ビデオ信号の前記活性化された画像のアスペクト比を決定するステップと、
前記活性化された画像のアスペクト比と、前記表示スクリーンのアスペクト比を比較するステップと、
前記アスペクト比の前記比較に応じて前記活性化された画像をフォーマットするステップと、
複数のスクリーンセーバの中の各スクリーンセーバは前記活性化されたビデオ画像により占められていない前記表示スクリーンの一部を占める、前記複数のスクリーンセーバを有するスクリーンセーバライブラリーから１つのスクリーンセーバを選択するステップと、
前記活性化された画像と前記スクリーンセーバを、前記表示スクリーンに表示するステップと、を有する方法。
【請求項１４】
表示スクリーンを有するビデオ表示装置内で使用されるために、前記表示スクリーンが、前記表示スクリーンの画像フォーマットと異なる画像フォーマットを有するビデオ信号の活性化された画像を表示するときに、前記スクリーン内のスクリーンの焼き付きを最小化するスクリーンセーバを表示するための方法であって、
前記ビデオ信号の前記活性化された画像の画像フォーマットを決定するステップと、
前記活性化された画像の画像フォーマットと、前記表示スクリーンの画像フォーマットを比較するステップと、
前記画像フォーマットの前記比較に応じて前記活性化された画像をフォーマットするステップと、
複数のスクリーンセーバの中の各スクリーンセーバは前記活性化されたビデオ画像により占められていない前記表示スクリーンの一部を占める、前記複数のスクリーンセーバを有するスクリーンセーバライブラリーから１つのスクリーンセーバを選択するステップと、
前記活性化された画像と前記スクリーンセーバを、前記表示スクリーンに表示するステップと、を有する方法。
【発明の詳細な説明】
【０００１】
発明の技術分野
本発明は、一般的にはビデオ表示スクリーンに向けられており、特に、ビデオディスプレイスクリーンセーバのためのシステム及び方法に関連する。
【０００２】
発明の背景
ディジタルビデオディスク（ＤＶＤ）技術とディジタルテレビジョン信号の放送の導入で、水平に広いアスペクト比を有するビデオ素材が更に一般的に成ってきている。従来のテレビジョンモニターは、水平対垂直のアスペクト比は４対３（４：３）を有する。従来のテレビジョンスクリーンでは、スクリーンの水平幅は、４単位であり、スクリーンの垂直高さは３単位である。
【０００３】
横に広い水平対垂直アスペクト比を有するビデオ素材が従来の４対３（４：３）のアスペクト比を有するテレビジョンスクリーンで表示されるときには、典型的には、１）画像は４：３スクリーンに画像の中央部分が入るように切り取られ、又は、２）全体の画像が、垂直の中央に置かれたビデオ画像の上下に黒み領域を配置するレターボックスフォーマットに再フォーマットされるかのいずれかである。
【０００４】
高精細テレビジョン（ＨＤＴＶ）表示モニタの出現で、１６対９（１６：９）のアスペクト比（ワイドスクリーン）表示モニタが消費者に人気を得ている。これらのワイドスクリーンモニタ上で、歪無く、従来の４：３のアスペクト比テレビジョン放送を表示し又は、ビデオホームシステム（ＶＨＳ）テープを再生するためには、ビデオ画像は、典型的には、”ピラー−ボックス”フォーマットで再フォーマットされるか又は、ズームされた画像として再フォーマットされるかのいずれかである。ピラー−ボックスフォーマットは、４：３のアスペクト比のビデオ画像を、水平的に中心には位置し、そして、垂直に整列された黒みの矩形をビデオ画像の左に配置し且つ垂直に整列された黒みの矩形をビデオ画像の左に配置して、ビデオ画像を枠取りする。ピラー−ボックスフォーマットは、完全な４：３ビデオ画像を歪無く表示できる。
【０００５】
しかし、レター−ボックスフォーマットとピラー−ボックスフォーマットは、スクリーンを均等に使用しない。即ち、ビデオ画像は常に、スクリーンの水平又は垂直の中央位置にあり、そして、黒み領域は常にスクリーンの端部にある。継続使用は、結果的にスクリーンの中央部分に、スクリーンの黒み領域よりも大きな量のスクリーン焼き付きを起こす。
【０００６】
スクリーン焼き付きは、テレビジョン表示スクリーンの陰極線管（ＣＲＴ）に付随する現象である。スクリーン焼き付きは、テレビジョンビデオ画像を形成するのに要求される電流の頻繁な存在のために時間にわたってＣＲＴスクリーンの内面上の蛍光体が劣化するときに発生する。少ないテレビジョンビデオ信号を低俗的に受ける黒み領域は、スクリーンの中央領域ほど多くはスクリーン焼き付きは起こらない。結果的に、中央領域の多くのクリーン焼き付きの累積のために、スクリーンの中央領域とスクリーンの端部領域の間で、知覚できる差ができる。スクリーン焼き付き差を最小化する技術は、表示中に中央のビデオ画像を非常にゆっくりスクリーンの上下に動かすような又は、中央領域を枠取りする端部領域黒みを他の色を順次使用して、スクリーン焼き付きを最小化する技術は、消費者に受け入れられていない。
【０００７】
また、消費者は、４：３アスペクト比ビデオ素材がワイドスクリーンプロファイルの水平に合うように成されたときの結果である歪んだ画像も受け入れない。消費者は、更に容易く、画像の中心部分で歪を減少するように比線形補間が与えられた、ビデオ画像を受けいれた。非線形補間で歪を減少する処理は更なる受け入れ可能なビデオ画像を生じるが、この処理は高価である。
【０００８】
ＣＲＴは、離れて配置された表示スクリーンにおいて、ビデオ画像上に適切な光の量を発生するために、強く駆動されるので、スクリーン焼き付きの最小化は、陰極線管（ＣＲＴ）に基づく投射ビデオディスプレイでは、非常に重大である。更に加えて、ＣＲＴ投射ビデオディスプレイでは、通常のテレビジョンセットＣＲＴの場合のような、エネルギーを吸収するシャドーマスクがない。
【０００９】
表示スクリーン内のスクリーン焼き付きは、表示スクリーンが、表示スクリーンの全体の領域を占めないビデオ画像を表示するときにはいつでも発生する。即ち、スクリーン焼き付き差の問題は、表示スクリーンのアスペクト比と異なるアスペクト比のビデオ画像を表示する場合に制限されるのではない。
【００１０】
従って、ビデオ表示スクリーン内にビデオ画像を表示する改善されたシステムと方法が必要とされている。特に、表示スクリーンの全体の領域を占めないビデオ画像を表示する改善されたシステムと方法が必要である。特に、ビデオ画像が表示される表示スクリーンのアスペクト比と異なるアスペクト比のビデオ画像を表示する改善されたシステムと方法が必要である。更に加えて、テレビジョン表示スクリーンの端部領域の頻繁に黒くされる部分内の比較できるスクリーン焼き付きの欠如により発生される、テレビジョン表示スクリーンの中央領域内の相対的なスクリーン焼き付きレベルを最小化する改善されたシステムと方法が必要である。
【００１１】
発明の概要
上述の従来技術の問題点を解決するために、本発明の第１の目的は、テレビジョンのような表示スクリーンを有するビデオ表示装置ないで使用するための、ビデオ画像が表示される表示スクリーンのアスペクト比と異なるアスペクト比のビデオ画像を表示する改善されたシステムと方法を提供することである。
【００１２】
本発明の他の目的は、表示スクリーンのアスペクト比と異なるアスペクト比のビデオ画像を表示することにより発生する表示スクリーンの焼き付きを最小化する改善されたシステムと方法を提供することである。
【００１３】
本発明の他の目的は、表示スクリーンのアスペクト比と異なるアスペクト比のビデオ画像を表示することにより発生された、表示スクリーンの端部の黒み部分には比較的スクリーン焼き付きがないことにより、中央領域内で発生する相対的なスクリーン焼き付きの量を最小化する改善されたシステムと方法を提供することである。
【００１４】
本発明の更なる目的は、表示スクリーンの全体領域を占めないビデオ画像の表示により発生される表示スクリーンのスクリーンや着付きを最小化する改善されたシステムと方法を提供することである。
【００１５】
本発明の他の目的は、表示スクリーンの全体領域を占めないビデオ画像を表示することにより発生された、表示スクリーンの端部の黒み部分には比較的スクリーン焼き付きがないことにより、中央領域内で発生する相対的なスクリーン焼き付きの量を最小化する改善されたシステムと方法を提供することである。
【００１６】
本発明のシステムは、受信されたビデオ信号の活性化された画像のアスペクト比を決定できるビデオ画像処理回路を有する。システムは、活性化されたビデオ信号のアスペクト比と、表示スクリーンのアスペクト比を比較でき且つ、前記比較に応じて、表示スクリーン上に表示するための活性化された画像をフォーマットできるビデオフォーマッターも有する。このシステムは、表示スクリーンに、１）フォーマットされた活性化された画像及び、２）フォーマットされた活性化された画像により占められていない表示スクリーンの一部を占めるスクリーンセーバとを転送できる、表示バッファをも有する。このシステムは、種々の形式の表示フォーマットと共に、複数のスクリーンセーバを含むスクリーンセーバライブラリも含む。
【００１７】
本発明の方法は、ビデオ信号の前記活性化された画像のアスペクト比を決定するステップと、活性化された画像のアスペクト比と、表示スクリーンのアスペクト比を比較するステップと、アスペクト比の比較に応じて前記活性化された画像をフォーマットするステップと、複数のスクリーンセーバの中の各スクリーンセーバは活性化されたビデオ画像により占められていない表示スクリーンの領域を占める、フォーマットされた活性化された画像を表示されるスクリーンセーバに供給するステップと、活性化された画像とスクリーンセーバを、表示スクリーンに表示するステップと、を有する方法。
【００１８】
前述は、本発明の特徴と技術的な優位点をむしろ広く要約したものであり、当業者には、以下の本発明の詳細な説明を読めばより理解されよう。本発明の追加の特徴と優位点は、本発明の請求項の形式で記載される。当業者は、本発明と同じ目的を達成するために、他の構成を修正し又は設計するための基礎として概念と開示された特定の実施例を容易く使用することができることは、理解されるべきである。当業者は、そのような等価な構成が広い形式の本発明の範囲から離れないことも理解されるべきである。
【００１９】
本発明の詳細な説明の前に、本明細書を通して使用される特定の単語とフレーズを定義しておくことが優位である。用語”含む”と”有する”等は、制限なしに包含することを意味し、用語”又は”は”及び／又は”を含み、”関連する”等は含む、含まれる、相互に接続される、含む、含まれる、接続する、通信する、共同する，インターリーブする、並列する、近接する、向かう、特性を有する等を意味し、用語”コントローラ”は、少なくとも１つの動作を制御する装置、システム又は、その一部を意味し、そのような装置は、ハードウェア、ファームウェア又は、ソフトウェア又は、同様なものの少なくとも２つの組合せで実行され得る。特定のコントローラに関連する機能は、局部的に又は、遠隔的に、集中化され、分散されうることに注意すべきである。本明細書を通して特定の用語とフレーズの定義は、多くの当業者が理解すべきであり、そのような定義は、多くの場合でないときには、そのような定義された用語とフレーズの特徴的な使用と共に、予め与えられる。
【００２０】
本発明とその優位点の完全な理解のために、添付の図面と共に以下の説明を参照する。同一の番号を付した構成要素は、同一の構成要素を示す。
【００２１】
発明の詳細な説明
以下に説明するそして、本明細書中で本発明の原理を説明するのに使用する図１から３は、説明目的のみであり、そして、本発明の範囲を制限するものではない。当業者は、本発明の原理が、ビデオ表示スクリーンを有する好適に配置されたシステム内で実行されうることは理解されよう。
【００２２】
図１は、本発明の優位な実施例に従った、例示のテレビジョン受信機１００の一部のブロック図を示す。例示のテレビジョン受信機１００の図に示された部分は、テレビジョン受信機受信器１１０に接続されたアンテナ１０５を有する。テレビジョンモニタディスプレイ（ディスプレイ）１１５は、テレビジョン受信機１１０に接続されている。テレビジョン受信機１１０の図示されている部分は更に、チューナ１２０、チャネル復号器１２５、動画専門家グループ（ＭＰＥＧ）復号器１３０及び、ポスト処理回路１４０を有する。
【００２３】
テレビジョン１１０は、ローカルビデオ源１５０からローカルに発生されたビデオ信号を受信できる。ローカルビデオ源１５０は、ビデオカセットレコーダ（ＶＣＲ）、コンパクトディスク／ディジタルビデオディスクプレーヤ、コンピュータ、又は、他のビデオ画像源である。図１では、コンパクトディスク／ディジタルビデオディスク読出し専用メモリ１４５（ＣＤ／ＤＶＤ　ＲＯＭ１４５）は、ローカルビデオ源１５０内で読み出される媒体を示す。ローカルビデオ源１５０は、ポスト処理回路１４０に直接接続されている。
【００２４】
チューナ１２０は、ユーザの選択した放送テレビジョン信号を中間周波数（ＩＦ）信号を発生するために変換する。チャネル復号器１２５は、ＩＦ信号をＭＰＥＧ復号器１３０の入力であるＭＰＥＧデータストリームを発生するために変調する。ＭＰＥＧ復号器１３０は、ベースバンドビデオ信号を発生するために、幾つかのＭＰＥＧ規格のうちの１つに従ってＭＰＥＧ信号を逆圧縮する。ポスト処理回路１４０は、ＭＰＥＧ復号器１３０からの信号を処理して、ディスプレイ１１５に転送するための改善されたビデオ画像を発生する。
【００２５】
ＭＰＥＧ復号器１３０は、ポスト処理回路１４０へ、ＭＰＥＧ復号器１３０により転送されるビデオ画像の活性化部分の、画像フォーマット情報をとアスペクト比を送る。ローカルビデオ源１５０は、ポスト処理回路１４０へ、ローカルビデオ源１５０により転送されるビデオ画像の活性化部分の、画像フォーマット情報をとアスペクト比を送る。ポスト処理回路１４０が、画像フォーマットをとアスペクト比に関する情報を受信しない場合には、ポスト処理回路１４０が受信されたビデオ画像の活性化部分のアスペクト比を決定する。ポスト処理回路１４０は、表示のために、受信されたビデオ画像をフォーマットする。ポスト処理回路１４０は、１）受信されたビデオ画像に変更を行わないか又は、２）受信されたビデオ信号をディスプレイ１１５に対して有効な全垂直高さ又は全水平幅に適応させるかの、いずれかである。
【００２６】
本発明の原理に従って、ポスト処理回路１４０は、サイズ、位置を選択し、そして、特定のスクリーンセーバに関するグラフィックスを受信されたビデオ画像と組合せる。ポスト処理回路１４０は、ディスプレイ１１５に対してスクリーンセーバを挿入するために随意に、（図２に示された）受信された放送信号又はローカルに利用できるデータ源から、補助データを選択する。補助データは、スクリーングラフィックス、現在の時間、現在の日付、番組案内、及び、同様な形式の情報である。１４０を、以下に詳細に説明する。
【００２７】
１つの優位な実施例では、ディスプレイ１１５は、４：３ディスプレイ１１５と呼ばれ、４：３のアスペクト比を有する陰極線管（ＣＲＴ）ビデオスクリーンを有する。他の優位な実施例に従って、ディスプレイ１１５は、１６：９ディスプレイ１１５と呼ばれ、１６：９のアスペクト比を有すワイドを有するビデオスクリーンを有する。他の優位な実施例に従って、ディスプレイ１１５は、ＨＤＴＶ１６：９ディスプレイ１１５と呼ばれ、１６：９のアスペクト比を有す高精細テレビジョン（ＨＤＴＶ）スクリーンを有する。
【００２８】
図２は、本発明の優位な実施例に従って、例示のポスト処理回路１４０を更に詳細に説明する。ポスト処理回路１４０は、検出回路２０５、ビデオフォーマッター２１５、スクリーンセーバライブラリ２２０及び、表示バッファ２２５を有する。ポスト処理回路１４０は、検出回路２０５内で、ＭＰＥＧ復号器１３０（又は、ローカルビデオ源１５０）からの画像フォーマット情報とアスペクト比を受信する。検出回路２０５が、画像フォーマットとアスペクト比に関する情報を受信しない場合には、検出回路２０５は、受信されたビデオ信号の活性化された部分及び、アスペクト比を決定する既知のアルゴリズムに従って入力ベースバンドビデオ信号を分析する。便利のために、ビデオ信号の活性化された部分は、活性化された画像と呼ばれる。検出回路２０５は、ビデオフォーマッター２１５にアスペクト比の指示を伴なうベースバンドビデオ信号を転送する。
【００２９】
ビデオフォーマッター２１５が、活性化された画像（及び、そのアスペクト比）を、検出回路２０５から受信するときには、ビデオフォーマッター２１５は、活性化された画像のアスペクト比と、ディスプレイ１１５のアスペクト比を比較しそして、活性化された画像のアスペクト比がディスプレイ１１５のアスペクト比と同じであるか否かを決定する。２つのアスペクト比が等しい場合には、活性化された画像がディスプレイ１１５の全体のスクリーンを覆うので、スクリーンセーバを追加する必要はない。２つのアスペクト比が等しくない場合には、ビデオフォーマッター２１５は、以下に更に完全に説明するように、活性化された画像の外側にスクリーンセーバを追加する。
【００３０】
ディスプレイ１１５が、４：３のアスペクト比を有し、且つ、活性化された画像が１６：９のアスペクト比を有する場合には、１６：９の活性化された画像は、通常は、レターボックスフォーマットで表示される。レターボックスフォーマットは、活性化された画像を表示するスクリーンの中央領域の上下に黒み領域を有する。
【００３１】
ディスプレイ１１５が、１６：９のアスペクト比を有し、且つ、活性化された画像が４：３のアスペクト比を有する場合には、４：３の活性化された画像は、通常は、ピラーボックスフォーマットで表示される。ピラーボックスフォーマットは、活性化された画像を表示するスクリーンの中央領域の左右に黒み領域を有する。
【００３２】
活性化された画像のアスペクト比が、ディスプレイ１１５のアスペクト比と同じでない場合には、ビデオフォーマッター２１５は、ディスプレイ１１５のアスペクト比と活性化された画像のアスペクト比との間の差に基づいて、スクリーンセーバのために有効な未使用領域の量を決定する。ビデオフォーマッター２１５は、そして、適切にサイズが決められたスクリーンセーバと活性化された画像を整列し、そして、一時的な蓄積のために、表示バッファ２２５内に復号ビデオ信号を転送する。
【００３３】
スクリーンセーバライブラリ２２０は、１つ又はそれ以上のスクリーンセーバのグラフィック画像を、活性化された画像と組み合わされたフォーマットで、蓄積する。他の優位な実施例では、スクリーンセーバライブラリ２２０は、放送でと入力ビデオ信号を受信できる。放送データは、活性化された画像と表示するために、補助データと集合的に呼ばれる、補助テキスト又はグラフィック画像又はその両方を含んでもよい。放送データは、存在するならば、（クローズトキャプションと同様な）元の入力ビデオ信号の垂直ブランキング期間又は、ＭＰＥＧストリームからポスト処理回路１４０により抽出される。スクリーンセーバライブラリ２２０は、随意に、放送データを処理しそして、結果の補助データと選択されたスクリーンセーバ画像とそ組み合わせるように向けられる。他の優位な実施例では、スクリーンセーバライブラリ２２０は随意に、ローカル補助情報を受信し且つ処理し、そそて、このローカル補助データをスクリーンセーバ表示の一部として、組み込んでもよい。
【００３４】
表示バッファ２２５は、一時的にビデオフォーマッター２１５からの複合ビデオ画像を蓄積する。ビデオフォーマッター２１５が、活性化された画像はディスプレイ１１５と同じアスペクト比を有すると決定する場合にはスクリーンセーバは要求されない。この場合には、表示バッファ２２５は、元の活性化された画像を、変更無しに、ビデオ出力信号として、ディスプレイ１１５へ転送する。
【００３５】
ビデオフォーマッター２１５が、スクリーンセーバが必要であると決定する（即ち、活性化された画像はディスプレイ１１５と同じアスペクト比を有しない）ときには、ビデオフォーマッター２１５は、幾つかの可能な活性化された画像配置アルゴリズムの１つを選択し、そして選択されたアルゴリズムに従って、表示バッファ２２５内に活性化された画像を配置する。ビデオフォーマッター２１５は、識別された未使用スクリーン領域に表示するために、スクリーンセーバライブラリ２２０から幾つかの可能なスクリーンセーバグラフィックスの１つをも選択する。このスクリーンセーバは、全体のスクリーンを通してスクリーン焼き付きお程度をそろえる。これは、（スクリーンセーバなしでは黒いであろう）端部領域が、スクリーンの中央領域よりも、少ないスクリーン焼き付きを受けないことを意味する。全てのスクリーンが均一に使用されることを補償するスクリーンセーバの使用は、スクリーンの一部にスクリーン焼き付きが現れることを防ぐ。
【００３６】
他の優位な実施例では、ポスト処理回路１４０は、４：３アスペクト比ディスプレイ１１５に対して１つ又はそれ以上のスクリーンセーバを提供する。検出回路２０５は、受信された活性化された画像のアスペクト比と伝送フォーマットを決定するために、アルゴリズムと、受信されたビデオ信号に適用する。検出回路２０５が、活性化された画像は１６：９アスペクト比を有し、且つ、４：３アスペクト比ビデオ表示に対してレターボックスでフォーマットされていることを決定するときには、ビデオフォーマッター２１５は活性化された画像を抽出しそして、ディスプレイ１１５の所定の位置に表示するために、表示バッファ２２５内に活性化された画像を配置する。例えば、ビデオフォーマッター２１５は、レターボックスフォーマットに対する活性化された画像をディスプレイ１１５のスクリーンの中央に配置する。
【００３７】
他の実施例では、ビデオフォーマッター２１５は、活性化された画像が、中央のレターボックスとして現れる代わりに、ディスプレイ１１５のスクリーンの一番上に現れるように、表示バッファ２２５内に活性化された画像を配置する。更に他の優位な実施例では、ビデオフォーマッター２１５は、ディスプレイ１１５のスクリーンの下側をそろえて、活性化された画像を配置する。
【００３８】
活性化された画像を、適切な表示位置と関係している表示バッファ２２５内の蓄積位置に蓄積した後に、ビデオフォーマッター２１５は、未使用表示領域を置換するために、選択されたスクリーンセーバを、スクリーンセーバライブラリ２２０から表示バッファ２２５へ、転送する。
【００３９】
高速で移動する又は変化するビデオ画像と明るく色付けされた物体は、視聴者の注意をそらすのが知られているので、スクリーンセーバライブラリ２２０は、ゆっくり、時々変化する又は、全く変化しない及び、活性化された画像と比較して和らげられた色を伴なう、オプションの補助データを伴なう１つ又はそれ以上のスクリーンセーバ表示を、提供する。これらの同じ条件は維持される。（放送又はローカルの）オプションの補助データは、スクリーンセーバ簿で及び、画像内に組み合わされる。
【００４０】
１つの優位な実施例では、スクリーンセーバライブラリ２２０は、人目につかないビデオフレーム内の有益な情報を著すスクリーンセーバを提供する。このビデオフレームは、表示された活性化された画像を改善するグラッフィックスのような、１つ又はそれ以上非常にゆっくり移動する画像を表示する。代わりに、ビデオフレームは、字幕、番組案内、グラフィックス又は、他の番組の状態のような重ねられた補助情報を伴なう黒でない背景を提示してもよい。他の実施例では、スクリーンセーバライブラリ２２０は、視聴者の注意をそらさないように設計された非常にゆっくり色が変わるような、和らげられた色の付されたパターンを表示するスクリーンセーバを提供する。
【００４１】
他の優位な実施例では、スクリーンセーバライブラリ２２０は、劇場のステージに似た少なくとも１つのスクリーンセーバを提供してもよい。この種のスクリーンセーバは、ステージスクリーンセーバと呼ばれる。ステージスクリーンセーバは、活性化された画像が例えば、ＣＤ／ＤＶＤ−ＲＯＭ１４５からの映画又は、テレビ化された音楽演奏のような時に使用される。他の優位な実施例では、スクリーンセーバライブラリ２２０は、例えば、スクリーンセーバライブラリ２２０は、ステージスクリーンセーバに対して適切な黒でない色と輝度を決定するために、活性化された画像の内容を分析するアルゴリズムに従って、ステージスクリーンセーバを変更してもよい。変わりの優位な実施例では、スクリーンセーバライブラリ２２０は、１つ又はそれ以上の領域を、前に記述されたオプションの補助データに関して有効とするために、ステージスクリーンセーバをフォーマットする。
【００４２】
更に他の優位な実施例では、ポスト処理回路１４０は、外部の供給者から補助テキストを得て、そして、所望の番組内容をと共に伝送するための有益なユーザグラフィックス又は、テキストグラフィックスを生成する。この優位な実施例は、ディスプレイ上に現れるスクリーンセーバを実際に発生するための、テレビジョン受信機に対する要求を減少する。
【００４３】
他の優位な実施例では、１４０は、高精細テレビジョン（ＨＤＴＶ）受信器１００及び、１６：９ＨＤＴＶディスプレイ１１５の一部として構成される。検出回路２０５が、４：３アスペクト比活性化された画像が受信されたと決定するときには、ビデオフォーマッター２１５は、活性化された画像を表示バッファ２２５内の適切な蓄積位置へ位置し、それにより、活性化された画像は１６：９ＨＤＴＶディスプレイ１１５の水平的に中心へ配置される。この場合には、４：３の活性化された画像は完全に、１６：９ＨＤＴＶディスプレイ１１５の垂直高さを占め、活性化された画像の両側には、未使用の水平の空間が残る。
【００４４】
優位な実施例では、スクリーンセーバライブラリ２２０は、テレビジョンモニタの前面ベゼルと似たスクリーンセーバを含んでもよく、又は、面取りされた映像フレームにサイドに似たスクリーンセーバを含んでもよい。ビデオフォーマッター２１５は、選択されたベゼルスクリーンセーバ又は、選択された映像フレームスクリーンセーバを、表示のために、１６：９ＨＤＴＶディスプレイ１１５の左右の未使用部分に配置する。
【００４５】
他の優位な実施例では、ビデオフォーマッター２１５は、４：３のアスペクト比活性化された画像を、スクリーンのセンタからオフセットし且つ、スクリーンの左側又は右側のいずれかにそろえるように配置する。この方法で、活性化された画像を配置することは、中心に置かれた活性化された画像の各々の側に小さな未使用表示領域がある代わりに、活性化された画像の１つの側に未使用表示領域を発生する。ピラーボックスフォーマットの場合には、ビデオフォーマッター２１５はテレビジョン信号に関係するオプションのコンテンツに関連する情報（例えば、スクリーンセーバライブラリ２２０から受信された放送）が、スクリーンの未使用表示領域に表示するために、１６：９ディスプレイ１１５に転送されることを発生する。他の優位な実施例では、ビデオフォーマッター２１５は、随意に、（日付，時間、番組案内等のような）スクリーンセーバライブラリ２２０から、１つの未使用表示領域内に表示するためにスクリーンセーバへ、ローカル補助データを挿入する。
【００４６】
未使用表示領域は、番組の内容に関連する情報を表示するために、放送者又はビデオコンテンツプロバイダーにより使用される。例えば、活性化された画像が既に４：３のアスペクト比テレビジョン受信機に対してレタボックスフォーマットですでにフォーマットされているときには、字幕、番組状態及び、他の有益な情報は、テレビジョンタジオで挿入される。同じ原理が、ワイドスクリーン表示のために、フォーマットされている４：３のアスペクト比素材に適用される。
【００４７】
本発明の能力は、特定のテレビジョン受信機の既知の”ピクチャ−オン−ピクチャ”機能とは異なるスクリーンセーバグラフィックスを提供することに注意する。ピクチャ−オン−ピクチャテレビジョン受信機２つのビデオ番組を同時に受信し且つ同時に表示する。ピクチャ−オン−ピクチャテレビジョン受信機は、２つ又は、それ以上のビデオ信号を動じに受信しなければならない。従ってピクチャ−オン−ピクチャテレビジョン受信機は、２つのチューナを有しなければならない。これは、単一のチューナのテレビジョン受信機よりも、ピクチャ−オン−ピクチャテレビジョン受信機を更に高価にする。特に、本発明は、１つのチューナのみを装備するテレビジョン受信機を必要する。本発明のスクリーンセーバは、ピクチャ−オン−ピクチャテレビジョン受信機に組み込まれているが、本発明のスクリーンセーバは、ピクチャ−オン−ピクチャ機能を必要としない。
【００４８】
ビデオコンテンツプロバイダは、本発明を、主ビデオ番組を適切なアスペクト比に予め変換し、そして、そのフォーマットで適切な補助コンテンツを提供する。ビデオ番組を予めフォーマットすることは、信号を受信するテレビジョン受信機にとって、何か処理を実行することの必要を除去する。テレビジョン受信機は、受信されたように、予め定めフォーマットされたビデオ番組を表示するだけでよい。
【００４９】
表示スクリーン内のスクリーン焼き付きの差は、表示スクリーンが、表示スクリーンの全体の領域を占めないビデオ画像を表示するときにはいつでも発生し得る。即ち、スクリーン焼き付きの差の問題は、表示スクリーンのアスペクト比と異なるアスペクト比を有するビデオ画像の表示に関係する場合には制限されない。
【００５０】
例えば、１６対９（１６：９）のアスペクト比を有する高精細テレビジョン（ＨＤＴＶ）ディスプレイモニタは、典型的には、コストを削減するために（１９０２ｘ１０８０画素又は、８５４ｘ４８０画素のような）固定の走査フォーマットが採用されている。８００ｘ６００画素のビデオフォーマットを有するビデオ画像が、１６：９の表示モニタ上に表示される場合には、再フォーマット前の活性化された画像領域は、１９２０ｘ１０８０画素のうちの８００ｘ６００画素のみである。他の例は、２．１対１（２．１：１）のアスペクト比を有するビデオソースである。他の例はＶＧＸ、ＳＶＧ及び、ＸＧＡディスプレイフォーマットを含む。
【００５１】
これらの場合には、活性化された画像のアスペクト比とディスプレイ１１５のアスペクト比を直接比較する代わりに、ポスト処理回路１４０が、活性化された画像の画像フォーマット情報を、ディスプレイ１１５の画像フォーマット情報を比較する。以下に更に詳しく述べるように、適切なスクリーンセーバは、ディスプレイ１１５の、活性化された画像によりカバーされていないそれらの部分をカバーするように選択される。
【００５２】
図３は、本発明の優位な一実施例に従った、例示のポスト処理回路１４０の動作を示すフローチャート３００である。通常の動作では、検出回路２０５は、ベースバンドビデオ信号（及び、画像フォーマット情報とアスペクト比）を、ＭＰＥＧ復号器１３０又は、ローカルビデオ源１５０から直接に受信する。画像フォーマット情報とアスペクト比が受信されない場合には、検出回路２０５は、ＭＰＥＧ復号器１３０又は、ローカルビデオ源１５０から、ベースバンドビデオ信号の活性化された画像部分のアスペクト比を決定する（処理ステップ３０５）。
【００５３】
ビデオフォーマッター２１５は、そして、活性化された画像のアスペクト比をディスプレイ１１５のアスペクト比と比較する（処理ステップ３１０）。ビデオフォーマッター２１５が、活性化された画像のアスペクト比がディスプレイ１１５のアスペクト比と一致すると決定する場合には、ビデオフォーマッター２１５は、活性化された画像を、変更無しに（即ち、スクリーンセーバの追加無しに）、表示バッファ２２５とディスプレイ１１５に送る（処理ステップ３１５）。例えば、２１５が、活性化された画像とディスプレイ１１５の両方が、１６：９のアスペクト比を有すると決定する場合には、ビデオフォーマッター２１５は、活性化された画像を１６：９のアスペクト比と共に表示バッファ２２５内に蓄積し、そして、変更や追加を行わない。
【００５４】
ビデオフォーマッター２１５が、活性化された画像がディスプレイ１１５と同じアスペクト比を有していないと決定するときには、ビデオフォーマッター２１５は、ディスプレイ１１５のスクリーンの中心に適切に置かれるように、フォーマットされるように、活性化された画像を変更する。表示バッファ２２５は、フォーマットされた活性化された画像を、適切に中心に置かれたディスプレイに関連するレジスタ内に蓄積する（処理ステップ３２０）。
【００５５】
例えば、活性化された画像が４：３のアスペクト比を有し且つディスプレイ１１５のアスペクト比は１６：９である場合には、ビデオフォーマッター２１５は、１６：９のディスプレイ１１５のスクリーンの水平方向と垂直方向の中心に置かれるように、活性化された画像を調整する。表示バッファ２２５は、そして、フォーマットされた活性化された画像を、適切に垂直方向と水平方向の中心に置かれたビデオディスプレイに関連するレジスタ内に蓄積積する。
【００５６】
ビデオフォーマッター２１５は、活性化された画像を囲む、垂直と水平の未使用表示空間の量を決定し、そして、この情報をスクリーンセーバライブラリ２２０からスクリーンセーバを選択するために使用する。ビデオフォーマッター２１５は、スクリーンセーバライブラリ２２０から適切なスクリーンセーバを選択し、そして、必要であるならば、中心に置かれた活性化された画像のまわりの未使用表示空間内に配置するために、スクリーンセーバのグラフィックスを計量し、そして、分割する。表示バッファ２２５は、中心に置かれた活性化された画像のまわりの未使用な垂直及び水平空間に関連する蓄積レジスタ内に、変更されたスクリーンセーバの分割を蓄積する（処理ステップ３２５）。
【００５７】
表示バッファ２２５は、選択され且つ分割されたスクリーンセーバを伴なう中心に配置された活性化された画像を、ディスプレイ１１５に送る。結果の複合ビデオ画像は、活性化された画像の視覚的な受信からそらさない、適切なスクリーンセーバのグラフィックスにより囲まれたテレビジョン化された画像を表す、中心に置かれた活性化された画像を有する（処理ステップ３３０）。
【００５８】
ビデオ画像がディスプレイスクリーンの全領域を占めないという事実が、ビデオ画像とディスプレイスクリーンのアスペクト比が異なることに依らない場合には、イアｋの代わりの方法が使用される。検出回路２０５は、ビデオ信号の活性化された画像に関する画像フォーマット情報を供給する（又は、決定する）（ステップ３０５）。ビデオフォーマッター２１５は、活性化された画像の画像フォーマット情報とディスプレイ１１５の画像フォーマット情報を比較する（処理ステップ３１０）。
【００５９】
ビデオフォーマッター２１５が、活性化された画像の画像フォーマット情報が、ディスプレイ１１５の画像フォーマット情報と一致するということを決定する場合には、ビデオフォーマッター２１５は、活性化された画像を表示バッファ２２５へそしてディスプレイ１１５へ変更なしに（即ち、スクリーンセーバの付加無しに）送る（処理ステップ３１５）。
【００６０】
ビデオフォーマッター２１５が、活性化された画像の画像フォーマット情報が、ディスプレイ１１５の画像フォーマット情報と一致しないということを決定する場合には、ビデオフォーマッター２１５は、ディスプレイ１１５のスクリーンの中心に適切にフォーマットされるように、活性化された画像を変更する。表示バッファ２２５は、適切に中心に配置されたビデオディスプレイに関連するレジスタにフォーマットされた活性化された画像を蓄積する（処理ステップ３２０）。代わりの方法の残りは、活性化された信号のアスペクト比がディスプレイ１１５のアスペクト比と異なる場合にスクリーンセーバを提供するための、図３に示す方法と同じである。
【００６１】
本発明は、陰極線管（ＣＲＴ）テレビジョンスクリーンを参照して説明したが、本発明は、ＣＲＴテレビジョンスクリーンでの使用に限定されないことは明らかである。どのような形式のスクリーンも使用できる。本発明が使用され得る幾つかの形式の表示スクリーンは、投射テレビジョンディスプレイスクリーン、フラットパネルテレビジョンスクリーン、液晶ディスプレイスクリーン、光放射ダイオードスクリーン、有機化学ディスプレイスクリーン及び、ミラーディスプレイスクリーンを含む。
【００６２】
本発明を詳細に説明したが、当業者には、広い形式の本発明の範囲から離れること無く、種々の変形、代用及び、変更が可能であることは理解されるべきである。
【図面の簡単な説明】
【図１】
本発明の優位な実施例に従った、例示のテレビジョン受信機の一部のブロック図である。
【図２】
本発明の優位な実施例に従った、例示のビデオポスト処理回路のブロック図である。
【図３】
本発明の優位な実施例に従った、例示のビデオポスト処理回路の動作を示すフローチャートを示す図である。
【図１】
2004502352.tif 000002
【図２】
2004502352.tif 000003
【図３】
2004502352.tif 000004
【国際公開パンフレット】
2004502352.tif 000005
2004502352.tif 000006
2004502352.tif 000007
2004502352.tif 000008
2004502352.tif 000009
2004502352.tif 000010
2004502352.tif 000011
2004502352.tif 000012
2004502352.tif 000013
2004502352.tif 000014
2004502352.tif 000015
2004502352.tif 000016
2004502352.tif 000017
2004502352.tif 000018
2004502352.tif 000019
2004502352.tif 000020
2004502352.tif 000021
2004502352.tif 000022
2004502352.tif 000023
2004502352.tif 000024
【国際調査報告】
2004502352.tif 000025
2004502352.tif 000026
2004502352.tif 000027
2004502352.tif 000028